(57)【要約】【課題】  消費電力を低減するための移行時間の設定を時間帯で変更できるようにリアルタイムクロックを設けて、設定した時間に到達したら、移行時間を自動で変更して制御することで、より効果的な電力消費を抑制できる画像形成装置を提供すること。【解決手段】  通常時間帯では、できるだけ低減モードに移行しないように自動移行時間を長く設定し、低減時間帯では、できるだけ低減モードに移行するように自動移行時間を短く設定するようにする。操作・表示部１０で通常時間の開始時間を設定し（Ｓ１０）、それをシステムメモリ部２２にセットし（Ｓ１１）、操作・表示部１０で低減時間の開始時間を設定し（Ｓ１２）、それをシステムメモリ部２２にセットする（Ｓ１３）。  具体例には、例えば、通常時間帯の開始時間を７：００に設定し、低減時間帯の開始時間を１８：００に設定する。【選択図】     図３
2006076214.tif 000002
【特許請求の範囲】
【請求項１】
画情報を読み取る画情報読取手段と、
この画情報読取手段が読み取った画像データを記憶する画情報メモリ手段と、
この画情報メモリ手段に記憶された画像データを用紙に形成する記録・印字手段と、
各種設定を受け付ける操作・表示手段と、
この操作・表示手段からの操作により時刻の設定を受け付ける時刻設定手段と、
現在時刻のデータを計測する時計手段と、を備え、
省エネルギーのモードとして、通常モードに加えて、低電力モードとオフモードへ変更可能な画像形成装置において、
前記時刻設定手段で設定した時刻に応じて、前記省エネルギーのモードを変更することが可能なことを特徴とする画像形成装置。
【請求項２】
通常モードから低電力モードへ移行する時間を変更する変更手段をさらに備えたことを特徴とする請求項１記載の画像形成装置。
【請求項３】
低電力モードからオフモードへ移行する時間を変更するモード変更手段をさらに備えたことを特徴とする請求項１または請求項２記載の画像形成装置。
【請求項４】
省エネルギーのモードを時間帯で変更する際に、設定時間を前記操作・表示部で受け付けることを特徴とする請求項１、請求項２または請求項３記載の画像形成装置。
【請求項５】
省エネルギーのモードを時間帯で変更する際に、設定の割合（パーセント）を前記操作・表示部で受け付けることを特徴とする請求項１、請求項２または請求項３記載の画像形成装置。
【発明の詳細な説明】
【技術分野】
【０００１】
本発明は、電力の供給を低減する方法を時間帯で変更できる画像形成装置に関する。
【背景技術】
【０００２】
複写機、ファクシミリ装置などの画像形成装置において、装置を使用していない所謂待機状態での電力消費を可能な限り少なくすることが要望されていた。そのため、省エネルギータイプの装置が種々提案されている。
【特許文献１】特開２００２−３００３２９公報
【０００３】
この特許文献１には、システム制御手段に電力供給を低減することで、省エネルギーを実現したファクシミリ装置が開示されている。
【発明の開示】
【発明が解決しようとする課題】
【０００４】
ところで、通常時間帯は、装置を頻繁に使う時なので電力を落としてしまうと再度装置が使えるように復帰するまでに時間がかかってしまって不便である。また、低減時間帯では、装置を頻繁に使わない時などに低減時間を短縮して電力が落ちやすくすることにより、電力量を抑えることができる。
そこで、オフィスの勤務時間帯（以後：通常時間）では、できるだけ低減モードに移行しないように自動移行時間を長く設定し、勤務時間外（以後：低減時間）では、できるだけ低減モードに移行するように自動移行時間を短く設定することが望ましい。。
【０００５】
そこで、本発明の第１の目的は、消費電力を低減するための移行時間の設定を時間帯で変更できるようにリアルタイムクロックを設けて、設定した時間に到達したら、移行時間を自動で変更して制御することで、より効果的な電力消費を抑制できる画像形成装置を提供することである。
本発明の第２の目的は、通常モードから低電力モードへ移行する時間を設定できることで、ユーザーの使用環境により沿った省エネルギーを行える画像形成装置を提供することである。
。
本発明の第３の目的は、低電力モードからオフモードへ移行する時間を設定できること
で、ユーザーの使用環境により沿った省エネルギーを行える画像形成装置を提供することである。
本発明の第４の目的は、モード自動移行時間の設定を時間で個々に設定できることで、ユーザーの使用環境により沿った省エネルギーを行える画像形成装置を提供することである。
本発明の第５目的は、低電力自動移行時間／オフモード自動移行時間の設定を割合（パーセント）で設定できることで、ユーザーの使用環境により沿った省エネルギーを行える画像形成装置を提供することである。
【課題を解決するための手段】
【０００６】
請求項１記載の発明では、画情報を読み取る画情報読取手段と、この画情報読取手段が読み取った画像データを記憶する画情報メモリ手段と、この画情報メモリ手段に記憶された画像データを用紙に形成する記録・印字手段と、各種設定を受け付ける操作・表示手段と、この操作・表示手段からの操作により時刻の設定を受け付ける時刻設定手段と、現在時刻のデータを計測する時計手段と、を備え、省エネルギーのモードとして、通常モードに加えて、低電力モードとオフモードへ変更可能な画像形成装置において、前記時刻設定手段で設定した時刻に応じて、前記省エネルギーのモードを変更することが可能なことにより、前記第１の目的を達成する。
【０００７】
請求項２記載の発明では、請求項１記載の発明において、通常モードから低電力モードへ移行する時間を変更する変更手段をさらに備えたことにより、前記第２の目的を達成する。
請求項３記載の発明では、請求項１または請求項２記載の発明において、低電力モードからオフモードへ移行する時間を変更するモード変更手段をさらに備えたことにより、前記第３の目的を達成する。
【０００８】
請求項４記載の発明では、請求項１、請求項２または請求項３記載の発明において、省エネルギーのモードを時間帯で変更する際に、設定時間を前記操作・表示部で受け付けることにより、前記第４の目的を達成する。
請求項５記載の発明では、請求項１、請求項２または請求項３記載の発明において、省エネルギーのモードを時間帯で変更する際に、設定の割合（パーセント）を前記操作・表示部で受け付けることにより、前記第５の目的を達成する。
【発明の効果】
【０００９】
請求項記載の発明では、通常の時間帯と低減の時間帯をセットすることにより、通常時間帯と、低減時間帯を自動的に切り替えて電力量を抑えることができる。
【発明を実施するための最良の形態】
【００１０】
以下、本発明の好適な実施の形態を図１ないし図８を参照して、詳細に説明する。
図１は、本実施の形態に係る画像形成装置の外観を示した全体図であり、図２は、この画像形成装置の全体構成を示したブロック図である。
図２に示すよに、この画像形成装置は、操作・表示部１０、画情報読み取り部１２、画情報メモリ部１４、画情報編集部１６、記録・印字部１８、システム制御部２０、システムメモリ部２２、ＲＴＣ２４、電源装置２６、ＩＯ部２８、ヒータ部３０およびモータ、ヒータなどの各種駆動系３２より構成されている。
【００１１】
まず、第１の実施例を図３および図４のフローチャートを参照して説明する。
この説明において、低電力モードとは、電装系の電源を全てＯＦＦすること、すなわち消費電力を数百ワット以下にすることをいい、オフモードとは、電装系の電源をＯＦＦしてＣＰＵを低電力状態にすること、すなわち数ワット以下にすることである。
そして、この実施例では、通常時間帯では、できるだけ低減モードに移行しないように自動移行時間を長く設定し、低減時間帯では、できるだけ低減モードに移行するように自動移行時間を短く設定するようにする。
まず、時間の設定について、図３のフローチャートを参照して説明する。
操作・表示部１０で通常時間の開始時間を設定し（ステップ１０）、それをシステムメモリ部２２にセットする（ステップ１１）。その後、操作・表示部１０で低減時間の開始時間を設定し（ステップ１２）、それをシステムメモリ部２２にセットする（ステップ１３）。
【００１２】
次に、この設定の具体例を説明する。例えば、通常時間帯の開始時間を７：００に設定し、低減時間帯の開始時間を１８：００に設定したとする。この設定の場合、７：００〜１７：５９までが通常時間帯、１８：００〜６：５９までが低減時間帯となる。この設定時間は、使用場所の状況、例えば、通常２０：００ごろまで業務を行っている場合は、低減時間帯の開始時間を２０：００とする。
続いて、図４のフローチャートを参照して、時間帯の制御の手順を説明する。
まず、定期的にＲＴＣ２４より現在時刻を取得して（ステップ２０）、現在の時間が、通常時間帯／低減時間帯かを判断する（ステップ２１）。通常時間帯の場合は（ステップ２１；Ｙ）、通常時間をセットして（ステップ２２）、自動移行時間経過したかを判断する（ステップ２４）。
一方、低減時間帯の場合は（ステップ２１；Ｎ）、低減時間をセットして（ステップ２３）、自動移行時間経過したかを判断する（ステップ２４）。その後、自動移行時間経過した場合には（ステップ２４；Ｙ）、移行可能かどうかを判断して（ステップ２５）、移行可能であれば（ステップ２５；Ｙ）、低減モードに移行する（ステップ２６）。
【００１３】
次に、図５のフローチャートを参照して、第２の実施例を説明する。
この実施例では、通常モードから低電力モードへ移行する時間（通常時間帯用）を操作・表部１０で設定して（ステップ３０）、システムメモリ部２２にセットする（ステップ３１）。この設定時間は、通常モードから、低電力モードへ自動で移行する時間である。
この第２の実施例では、通常モードから、低電力モードに移行する時間を設定できることにより、通常の時間帯で低電力モードに自動で移行できる。
【００１４】
次に、図６のフローチャートを参照して、第３の実施例を説明する。
低電力モードからオフモードへ移行する時間（通常時間帯用）を操作・表示部１０で設定して（ステップ４０）、システムメモリ部２２にセットする（ステップ４１）。
この設定時間は、低電力モードから、オフモードへ自動で移行する時間である。
この第３の実施例では、低電力モードから、オフモードに移行する時間を設定できることにより、通常の時間帯でオフモードに自動で移行できる。
【００１５】
次に、図７のフローチャートを参照して、第４の実施例を説明する。
第２、第３の実施例で設定した時間を通常時間帯とする。
低減時間帯で自動移行（通常モード−から低電力モード／低電力モード−からオフモード）する時間を操作・表示部１０で設定してシステムメモリ部２２にセットする。
低電力モード移行操作がなかった場合（ステップ５０；Ｎ）、通常時間帯か低減時間帯かを判断する（ステップ５１）。通常時間帯の場合（ステップ５１；Ｙ）、通常時間をセットし（ステップ５２）、低減時間帯の場合（ステップ５１；Ｎ）、低減時間をセットする（ステップ５３）。その後、低電力モード自動移行時間経過か否かを判断する（ステップ５４）。移行時間経過していない場合（ステップ５４；Ｎ）、再度チェックする。移行時間経過した時は（ステップ５４；Ｙ）、低電力モードに移行可能か否かを判断し（ステップ５５）、可能であれば（ステップ５５；Ｙ）、電装系電源をＯＦＦにする（ステップ５６）。
【００１６】
続いて、オフモード移行操作があったか否かを判断し（ステップ５７）、以下、ステップ５１からステップ５５と同様の処理を行い、オフモード移行可能状態であれば（ステップ６２；Ｙ）、オフモードに移行する（ステップ６３）。
この第４の実施例では、通常モード−から低電力モードと低電力モード−からオフモードへ移行する時間を通常時間帯での時間と、低減時間帯での時間とを個々に設定できることにより、装置ユーザーの使い方に沿って電力量を低減することができる。
【００１７】
次に、図８のフローチャートを参照して、第５の実施例を説明する。
この実施例でも第２、第３の実施例で設定した時間を通常時間帯とする。
低減時間帯で自動移行（通常モード−から低電力モード／低電力モード−からオフモード）する割合（パーセント）を操作・表示部１０で設定してシステムメモリ２２にセットする。
低電力モード移行操作がなかった場合（ステップ７０；Ｎ）、通常時間帯か低減時間帯かを判断する（ステップ７１）。通常時間帯の場合（ステップ７１；Ｙ）、通常をセットし（ステップ７２）、低減時間帯の場合（ステップ７１；Ｎ）、通常時間帯の時間を割合（パーセント）で計算して低減時間にする（ステップ７３）。
他の処理は、図７のフローチャートと同様である。ただし、ステップ８０では、ステップ７３と同様に通常時間帯の時間を割合（パーセント）で計算する。
【００１８】
次に、この実施例の設定例を説明する。
操作・表示部１０で通常時間帯での移行時間を設定する項目と、低減時間帯でのパーセントを設定する項目を設ける。通常時間帯での移行時間は、時間で移行する。低減時間帯では、通常時間で設定した時間×パーセント＝低減時間帯での移行時間とする。
通常時間帯での移行時間を１０分で設定し、低減時間帯での移行を５０％で設定する。
すると、通常時間帯では１０分で低減モードへ移行し、低減時間帯では１０×５０％＝５分で低減モードへ移行するようになる。
この第５の実施例では、通常モード−から低電力モードと低電力モード−からオフモードへ移行する時間を通常時間帯での時間と、低減の割合（パーセント）で設定できるため、通常時間帯で設定した時間を変更することにより、低減時間帯での時間が割合（パーセント）で自動的に変更できる。
【図面の簡単な説明】
【００１９】
【図１】本実施の形態に係る画像形成装置の外観を示した全体図である。
【図２】本実施の形態に係る画像形成装置の全体構成を示したブロック図である。
【図３】第１の実施例における時間の設定の処理手順を示したフローチャートである。
【図４】第１の実施例における時間帯の制御の処理手順を示したフローチャートである。
【図５】第２の実施例における処理手順を示したフローチャートである。
【図６】第３の実施例における処理手順を示したフローチャートである。
【図７】第４の実施例における処理手順を示したフローチャートである。
【図８】第５の実施例における処理手順を示したフローチャートである。
【符号の説明】
【００２０】
１０  操作・表示部
１２  画情報読み取り部
１４  画情報メモリ部
１６  画情報編集部
１８  記録・印字部
２０  システム制御部
２２  システムメモリ部
２４  ＲＴＣ
２６  電源装置
２８  ＩＯ部
３０  ヒータ部
３２  モータ、ヒータなどの各種駆動系
【図１】
2006076214.tif 000003
【図２】
2006076214.tif 000004
【図３】
2006076214.tif 000005
【図４】
2006076214.tif 000006
【図５】
2006076214.tif 000007
【図６】
2006076214.tif 000008
【図７】
2006076214.tif 000009
【図８】
2006076214.tif 000010